(57)【要約】【課題】  従来の家具類固定方法には、施工に費用や手間がかかる、外観が良くない等の課題があった。【解決手段】  本発明の家具類固定具は、建物と家具類との間に配置される開口部のあるケースと、そのケース内に配置された可動コマ及びスライダーと、ケースの外から可動コマを移動操作可能な操作具を備え、スライダーは操作具の操作によって可動コマをケース内で移動させるとその可動コマにより押されて開口部から外側への突出し、スライダーの先端部が建物に突き当たって家具類を建物に固定できるものである。本発明の家具類固定構造は、前記家具類固定具を建物と家具類との間に配置したものである。また、ケースとスライダーを固定したり、家具類固定具間を収容空間や装飾部分としたりすることもできる。【選択図】図１
2007222487.tif 000002
【特許請求の範囲】
【請求項１】
建物とその内部に設置された家具類との間の空間に配置されるケースと、そのケース内に移動可能に配置された可動コマと、そのケース内の可動コマの上に配置されてケースの開口部から突出するスライダーと、ケースの外から前記可動コマを移動操作可能な操作具を備え、前記スライダーは前記操作具の操作によって前記可動コマをケース内で移動させるとその可動コマにより押されてケースの開口部から外側へスライドして先端部が建物に突き当たって家具類を建物に固定できることを特徴とする家具類固定具。
【請求項２】
建物とその内部に設置された家具類との間の空間に請求項１記載の家具類固定具が一又は二以上配置され、家具類固定具のケースの開口部から外側に突出するスライダーの先端部が建物に突き当てられて家具類が建物に固定されたことを特徴とする家具類固定構造。
【請求項３】
請求項２記載の家具類固定構造において、建物と家具類との間の空間に配置固定された家具類固定具のケースと、ケースの開口部から外側に突出して先端部が建物に突き当てられたスライダーが固定具で固定されて建物への家具類の固定が確保されたことを特徴とする家具類固定構造。
【請求項４】
請求項２又は請求項３記載の家具類固定構造において、建物と家具類との間に一又は二以上の家具類固定具が配置固定され、家具類固定具と建物の間又は二以上の家具類固定具の間に収容空間が形成されたことを特徴とする家具類固定構造。
【請求項５】
請求項２又は請求項３記載の家具類固定構造において、建物と家具類との間に一又は二以上の家具類固定具が配置固定され、家具類固定具と建物の間或は二以上の家具類固定具の間に装飾品取り付け用部材、或は装飾品、或は開閉扉、或は目隠し材を設けたことを特徴とする家具類固定構造。
【発明の詳細な説明】
【技術分野】
【０００１】
本発明は例えば、建物の天井と建物内に設置された本棚、箪笥等の家具類の天井の間、或は、建物の壁面と家具類の側面の間の空間に配置して、家具類を建物に固定するための家具類固定具と、その家具類固定具を使用して家具類を建物に固定した家具類固定構造に関するものである。
【背景技術】
【０００２】
近年、建物の室内に設置された本棚、箪笥等の家具類を建物の天井等に固定して家具類の転倒を防止する方法や治具が各種開発されている。その主な例として家具類の天井と建物の天井との間の空間に目隠し板を張って家具類を固定する方法、前記天井間に突っ張り棒を配置し、突っ張り棒の一端を建物に他端を家具類に突き当てて固定する方法があった。
【発明の開示】
【発明が解決しようとする課題】
【０００３】
前記した従来の家具類固定方法には次のような課題がある。
（１）家具類と建物の間に目隠し板を張って家具類を固定する場合は、素人では施工しにくいため専門業者に依頼する必要があり費用が嵩む。また、目隠し板を張ると家具類の天井と建物の天井の間の空間が閉塞されるためその空間を有効利用できなくなる。
（２）突っ張り棒は金属製のものが多いため、金属製の場合はそれと木製家具類との外観上の統一性がなく見栄えが悪くなることがある。また、金属製のものは製造用金型が必要になりコスト高になる。
【課題を解決するための手段】
【０００４】
本発明は建物と家具類の間の空間に配置して手軽に使用でき、しかも家具類の転倒を確実に防止でき、家具類と建物の間の空間を有効利用もでき、体裁もよい家具類固定具及びそれを使用した家具類固定構造を提供するものである。
【０００５】
本件出願の家具類固定具は請求項１記載のように、建物とその内部に設置された家具類との間に配置されるケースと、そのケース内に移動可能に配置された可動コマと、そのケース内の可動コマの上に配置されてケースの開口部から突出するスライダーと、ケースの外から前記可動コマを移動操作可能な操作具を備え、前記スライダーは前記操作具の操作によって前記可動コマをケース内で移動させるとその可動コマにより押されてケースの開口部から外側へスライドして先端部が建物に突き当たって家具類を建物に固定できるようにした。
【０００６】
本件出願の家具類固定構造は請求項２記載のように、建物とその内部に設置された家具類との間の空間に前記家具類固定具を一又は二以上配置し、家具類固定具のケースの開口部から外側に突出するスライダーの先端部を建物に突き当てて家具類を建物に固定した構造である。この場合、請求項３記載のように建物と家具類との間の空間に配置固定された家具類固定具のケースと、ケースの開口部から外側に突出して先端部が建物に突き当てられたスライダーが固定具で固定されて建物への家具類の固定を確保することができる。また、請求項４記載のように建物と家具類との間の空間に一又は二以上の家具類固定具を配置固定して、家具類固定具と建物との間、或は前記空間に配置固定された二以上の家具類固定具の間に収容空間を形成するとか、請求項５記載のように家具類固定具と建物の間或は前記空間に配置固定された二以上の家具類固定具の間に網板や穴あき板等の装飾品取り付け用部材、或は絵や写真等の装飾品、或は開閉扉、或は目隠し材を設けることもできる。
【発明の効果】
【０００７】
本件出願の請求項１記載の家具類固定具は次のような効果がある。
（１）ケースの開口部から外側に突出するスライダーの先端部を建物に突き当てて家具類を建物に固定できるため、建物も家具類も加工することなく両者を固定することができ、それらが損傷しない。
（２）家具類と建物の間への配置も容易であり、素人でも施工できるため、設置費用も掛からず、従来の目隠し板に比して施工コストが安価となる。
（３）操作具の操作で可動コマを横移動させるだけで、ケース内のスライダーをスライドさせてケース開口部からのスライダーの突出長を変えることができるので、建物と家具類との間の空間の広さが異なる場合でも手軽に使用できる。
（４）ケース、スライダー、可動コマを木製とすることができるため、製作に金型を必要とせず、コストの安価な家具類固定具を提供できる。また、木製家具との統一性、調和が取れるため外観上の体裁も良い。
【０００８】
本件出願の請求項２〜５記載の家具類固定構造は前記家具類固定具を使用した家具類固定構造であるため次のような効果がある。
（１）家具類と建物の間の空間に前記家具類固定具を一又は二以上配置して家具類を建物に固定してあるため家具類の固定が確実になり、地震発生時などにも家具類の転倒を防止できる。
（２）家具類固定具のケース及びスライダーの素材や彩色を、家具類の素材や彩色と同じとすれば統一性のある外観になり見栄えがよくなる。
【０００９】
本件出願の請求項３記載の家具類固定構造は、ケースとスライダーを固定具で固定してケースから突出するスライダーを位置決めしてあるので、スライダーが位置ずれせず、家具類の固定が確実になる。
【００１０】
本件出願の請求項４記載の家具類固定構造は、建物と家具類との間の空間に一又は二以上の家具類固定具を配置固定して、家具類固定具と建物との間、或は前記空間に配置固定された二以上の家具類固定具の間に収容空間を形成してあるので、空間を棚や物入れとして有効利用できる。
【００１１】
本件出願の請求項５記載の家具類固定構造は、家具類固定具と建物の間、或は両者間の空間に配置固定された二以上の家具類固定具の間に網板や穴あき板等の装飾品取り付け用部材、或は絵や写真等の装飾品を設けたので、家具類と建物の間の空間を室内のインテリア空間として活用することができる。
【発明を実施するための最良の形態】
【００１２】
（家具類固定具の実施形態１）
本発明の家具類固定具の実施形態の一例を図１〜図４に基づいて説明する。この家具類固定具１は建物の天井（図示しない）と建物内に設置された家具類２の上面（天井）の間、或は建物の側壁（図示しない）と建物内に設置された家具類２の側面の間に配置することができるものである。以下の説明は建物の天井と家具類２の上面（天井）の間に配置する場合であり、可動コマ４を操作する操作具５がネジ棒の場合の例である。
【００１３】
図１に示す家具類固定具１は家具類２の上面に配置固定される幅の狭い箱状のケース３と、そのケース３内に収容配置された二つの可動コマ４と、二つの可動コマ４を横に往復スライドさせる操作具（ネジ棒）５と、ケース３内に収容されて二つの可動コマ４の上に配置されたスライダー６を備えている。これらは木製、樹脂製、金属製といった各種材質製とすることができるがこの実施形態では木製としてある。
【００１４】
前記ケース３は上方に開口部７を備えた有底箱状であり、内部に板状のスライダー６を収容可能な収容空間部８が形成され、一方の狭幅壁１０の下部に操作具突出孔１１が開口され、対向する二枚の広幅壁１２、１３の対向位置にガイド軸差込孔１４が開口されている。
【００１５】
前記二つの可動コマ４は側面形状が直角二等辺三角形のブロックであり、その垂直側面１５から斜面１６まで操作具差込み孔１７（図２ａ、ｂ）が貫通されており、垂直側面１５に金属板１８が固定され、その金属板１８はネジ孔１９が前記操作具差込み孔１７と同一軸上に位置合わせして固定されている。二つの可動コマ４は図２（ａ）（ｂ）のように斜面１６を内側上方に向けてケース３内の底９の上に対向配置されている。この場合、一方の可動コマ４の金属板１８のネジ孔１９−その可動コマ４の操作具差込み孔１７−他方の可動コマ４の操作具差込み孔１７−その可動コマ４の金属板１８のネジ孔１９を一列に配列してある。本実施形態では斜面１６の傾斜角度は図２（ａ）（ｂ）に示すように４５度程度としてあるがその傾斜角度は他の任意角度とすることができる。
【００１６】
操作具（ネジ棒）５は二本のネジ棒２０、２１を連結してなり、夫々のネジ棒２０は外側端部に互いに逆螺旋のネジ２２、２３が形成されている。また、一方のネジ棒（図２ａの右側のネジ棒）２０は一方の可動コマ（図２ａの右側の可動コマ）４の金属板１８のネジ孔１９からその可動コマ４の操作具差込み孔１７に差し込まれてそれらを貫通し、他方のネジ棒（図２ａの左側のネジ棒）２１はケース３の一方の狭幅壁１０の外側からその操作具突出孔１１に差込まれ、他方の可動コマ（図２ａの左側の可動コマ）４の金属板１８のネジ孔１９からその可動コマ４の操作具差込み孔１７に差し込まれてそれらを貫通している。この二本のネジ棒２０、２１は夫々の可動コマ４の内側に突出した内側端部同士が連結具２４により一直線に連結されている。また、一方のネジ棒（図２ａの左側のネジ棒）２１は、図３に示すように、左側端部がケース３の狭幅壁１０の操作具突出孔１１から外側に突出しており、その端部に摘み２５が取り付けられている。
【００１７】
前記摘み２５には図３に示すように十字の嵌合溝２６が形成されており、それにプラスドライバーとか他の工具を差込んで回転させることができるようにしてある。この摘み２５を回転させて両ネジ棒２０、２１を回転させると両可動コマ４がネジ棒に沿って内側に（図２ａ、ｂの左側の可動コマ４が右に、右側の可動コマ５が左に）スライドし、摘み２５を前記の場合と逆回転させてネジ棒２０、２１を逆回転させると、両可動コマ４がネジ棒２０、２１のネジ２２、２３に沿って外側に（図２ａ、ｂの左側の可動コマ５が左に、右側の可動コマ５が右に）スライドするようにしてある。操作具（ネジ棒）５は一本の棒とし、その軸方向両端に逆ネジを形成したものであってもよい。摘み２５の形状も、工具によって操作具（ネジ棒）５を回転させられるものであれば、任意の形状とすることができる。
【００１８】
前記スライダー６は前記ケース３の収容空間部８内に差し込まれて二つの可動コマ４の斜面１６の上に配置されて着座している。スライダー６は上部が方形状、下部両角部が外側上りの傾斜面２７、２８となっている板であり、この傾斜面２７、２８が可動コマ４の斜面１６の上に配置されて着座する。このスライダー６は、図４に示すように、ケース３の収容空間部８内にがた付き（揺動）可能に収容される。このため、斜めに傾いた天井等に対してもスライダーの上面３３を確実に突き当てて家具類２を固定できる。また、スライダー６には縦長のガイド孔２９が平行に開口され、幅方向両端側に多数の部材取付け穴３０が縦方向に一定間隔で開口されている。前記両ガイド孔２９にはケース３のガイド軸差込孔１４から差込まれたボルト（ガイド軸）３１が差し込まれて、そのガイド軸３１にナット３２が螺合されており、スライダー６がそのガイド軸３１にガイドされて上下にスライドできるようにしてある。
【００１９】
（実施形態１の家具類固定具の動作説明）
前記実施形態の家具類固定具の動作を以下に説明する。
（１）図２（ａ）の摘み２５を正回転（右回転：図１ａの矢印Ａ方向へ回転）させて両ネジ棒２０、２１を同方向に回転させると右側の可動コマ４がネジ棒２０のネジ２２に沿って内側に（図２ａの左に）、左側の可動コマ４がネジ棒２１のネジ２３に沿って内側に（図２ａの右に）スライドし（両可動コマが互いに接近し）、両可動コマ４の斜面１６の上に着座しているスライダー６が上方に押し上げられ、ケース３の外への突出長が長くなる。この状態で図１のナット３２を締め付けることによりスライダー６をケース３に固定する（位置決めする）ことができる。
（２）図２（ｂ）の摘み２５を逆回転（左回転：図１ｂの矢印Ｂ方向へ回転）させて両ネジ棒２０、２１を同方向に回転させると右側の可動コマ４がネジ棒２０のネジ２２に沿って外側に（図２ｂの右に）、左側の可動コマ４がネジ棒２１のネジ２３に沿って外側に（図２ｂの左に）スライドし、両可動コマの斜面１６の上に着座しているスライダー６が降下する。
（３）スライダー６は前記のように上昇、降下するとき、ケース３の内壁及びケース３からスライダー６を貫通しているガイド軸３１にガイドされる。
（４）可動コマ４の斜面１６にはその上に着座しているスライダー６が斜面１６に沿ってスムースに摺動できるようにメラミン加工とか滑りを良くするための各種加工を施しておくことが望ましい。
【００２０】
（家具類固定具の実施形態２）
図１〜図４に示す家具類固定具では、スライダー６にガイド孔２９が開口され、ケース３にガイド軸差込孔１４が開口されているが、それとは逆にケース３にガイド孔２９を、スライダー６にガイド軸差込孔１４を開口することもできる。
【００２１】
（家具類固定具のその他の実施形態）
図１〜図４に示す家具類固定具では部材取付け穴３０がスライダー６に開口されているが、本発明の家具類固定具では部材取付け穴３０はケース３にも開口することができるし、省略することもできる。ケース３、可動コマ４、操作具５、スライダー６等の各部材は図１〜図４に示す形状、数、大きさ、構造に限られず任意とすることができる。
【００２２】
（家具類固定構造の実施形態１）
この実施形態の家具類固定構造は図１〜図４に示す前記家具類固定具を使用して図５のように家具類を建物の室内の天井４０に固定した構造である。この固定構造は前記家具類固定具１を建物内に設置された本棚等の家具類２の天井（上面）の上に二つ配置し、摘み２５を正回転させてスライダー６を上昇させてスライダー６の上面３３を建物の室内の天井４０に付き当てて、家具類２を天井４０に固定してある。この場合、ナット３２を締付けてスライダー６をケース３に固定してスライダー６の上面３３が天井４０から離れないようにしてある。
【００２３】
図５ではスライダー６に開口されている部材取付け穴３０に止めピン（図示しない）を差込み、その上に棚板３５をのせて家具類２の上と建物の天井４０の間の空間に棚を形成してある。この場合、二つの家具類固定具１の部材取付け穴３０に引き戸とか扉等を取り付けて、二つの家具類固定具１と天井４０で囲まれた空間を物品収容室とすることもできる。また、二つの家具類固定具１の部材取付け穴３０に網とか、多数の孔が開口された穴あき板を取付け、それらに造花を取り付けて飾るとか、絵や写真を取り付けて飾る等することもできる。
【００２４】
前記のように家具類を建物の天井に固定した家具類固定具１を取り外すには次のようにする。
（１）前記棚板３５を外して、部材取付け穴３０から止めピンを外して棚を解除する。
（２）ナット３２の締め付けを緩めてスライダー６をフリーの状態にする。
（３）摘み２５を逆回転させてスライダー６を降下させてケース３外へのスライダー６の突出長を短くしてスライダー６の上面３３を天井４０から離す。これにより家具類２の固定が解除され、家具類固定具１を家具類２の上から取り外すことができる。
【００２５】
（家具類固定構造の実施形態２）
本発明の家具類固定構造は、前記した家具類固定具を横向きにして家具の側面に配置固定し、スライダーの上面（側面先端）を建物の壁面に突き当てて家具を固定したりすることもできる。
【００２６】
（家具類固定構造の実施形態３）
本発明の家具類固定構造は家具類固定具を家具類の底面の下（建物の床の上）に配置して家具類の台として使用し、家具類固定具のスライダーを上昇させることにより家具類を押し上げて家具類の上面を建物の天井に押し付けて家具類を天井に固定することもできる。
【００２７】
（家具類固定構造の他の実施形態）
本発明の家具類固定構造においては、家具に配置固定する家具類固定具の形状、数、大きさ、構造は、前記のものには限らず任意とすることができる。家具も図示したものに限られず、箪笥、本棚、机、ロッカー等、任意のものであってもよい。
【産業上の利用可能性】
【００２８】
本発明の家具類固定具及び家具類固定構造は、家具類の固定には限られず、移動式のパーテーションや間仕切りの固定等、建物内部に備えられる建材等の固定にも応用することができる。
【図面の簡単な説明】
【００２９】
【図１】本発明の家具類固定具の実施形態の一例を示す斜視図。
【図２】（ａ）（ｂ）は、図１に示す家具類固定具を示す正面説明図。（ａ）は、スライダーが下げられている状態の家具類固定具、（ｂ）は、スライダーが上げられている状態の家具類固定具を夫々示す。
【図３】図１に示す家具類固定具のうち、可動コマ及び操作ボルト部分を示す斜視説明図。
【図４】図１に示す家具類固定具のスライダーの様子を示す正面説明図。
【図５】本発明の家具類固定構造の実施形態の一例を示す斜視図。
【符号の説明】
【００３０】
１  家具類固定具
２  家具類
３  ケース
４  可動コマ
５  操作具（ネジ棒）
６  スライダー
７  開口部
８  収容空間部
１１  操作具突出孔
１６  （可動コマの）斜面
２７、２８  （スライダーの）傾斜面
３０  部材取付け穴
３５  棚板
４０  天井
【図１】
2007222487.tif 000003
【図２】
2007222487.tif 000004
【図３】
2007222487.tif 000005
【図４】
2007222487.tif 000006
【図５】
2007222487.tif 000007